(57)【要約】【課題】作業者が座ろうとしたときに、ベルトを用いて椅子本体を臀部に密着させて座ることができ、容易に移動及び作業を行うことができる作業用椅子を提供する。【解決手段】作業用椅子１００は、椅子本体１０と、第１の腰ベルト２０ａと第２の腰ベルト２０ｂとからなる腰ベルトと、第１の補助ベルト３０ａと第２の補助ベルト３０ｂからなる補助ベルトと、第１の股ベルト４０ａと第２の股ベルト４０ｂとからなる股ベルトとを有している。作業用椅子１００は、使用者の臀部を座面に当接した状態で、第１の腰ベルト２０ａと第２の腰ベルト２０ｂを第１の補助ベルト３０ａと第２の補助ベルト３０ｂとともに使用者の腰に巻きつけ、面ファスナー５０で固定する。第１の股ベルト４０ａと第２の股ベルト４０ｂを使用者のそれぞれの太股に巻きつけ、それぞれのフック６０を、側面に設けられているフック受け具で固定する。【選択図】図１
0003217581.tif 000002
【実用新案登録請求の範囲】
【請求項１】
座面と底面と側面とからなるカバーと、前記カバーの内部に設けられた弾性体を有する椅子本体と、
第１の腰ベルトと第２の腰ベルトとからなる腰ベルトと、
第１の補助ベルトと第２の補助ベルトからなる補助ベルトと、
第１の股ベルトと第２の股ベルトとからなる股ベルトと、
を有し、
前記第１の腰ベルトの一端は、前記座面と一体的に設けられ、
前記第２の腰ベルトの一端は、前記第１の腰ベルトの一端と対抗するように前記座面と一体的に設けられ、
前記第１の腰ベルトと前記第２の腰ベルトは、作業者の腰の周りに着脱自在になるように、それぞれの他端に着脱機能が設けられており、
前記第１の補助ベルトの一端は、前記第１の腰ベルトの一端よりも前記座面の下方に設けられ、前記第２の補助ベルトの一端は、前記第２の腰ベルトの一端よりも前記座面の下方に設けられ、
前記第１の補助ベルトの他端は、前記第１の腰ベルトの中央部分に一体的になるように設けられ、前記第２の補助ベルトの他端は、前記第２の腰ベルトの中央部分と一体的になるように設けられ、
前記第１の股ベルトの一端は、前記第１の補助ベルトの中央部分に設けられ、前記第２の股ベルトの一端は、前記第２の補助ベルトの中央部分に設けられ、
前記第１の股ベルトの他端は、前記側面に設けられた係合部と着脱自在になるように形成され、前記第２の股ベルトの他端は、前記側面に設けられた前記係合部と着脱自在になるように形成されていることを特徴とする作業用椅子。
【請求項２】
前記弾性部材は、高密度発泡ポリエステルであり、
前記着脱機能は、面ファスナーであり、
前記係合部はフック受け具であり、
前記第１の股ベルトの他端及び前記第２の股ベルトの他端はフックであり、
使用者の臀部を前記座面に当接した状態で、前記第１の腰ベルトと前記第２の腰ベルトを前記第１の補助ベルトと前記第２の補助ベルトとともに前記使用者の腰に巻きつけ、前記面ファスナーで固定し、前記第１の股ベルトと前記第２の股ベルトを前記使用者のそれぞれの太股に巻きつけ、それぞれの前記フックを、前記フック受け具で固定することを特徴とする請求項１に記載の作業用椅子。
【請求項３】
前記カバーには、ファスナーが設けられており、前記高密度発泡ポリエステルが、前記カバーから取り外し可能なように形成されていることを特徴とする請求項２に記載の作業用椅子。
【考案の詳細な説明】
【技術分野】
【０００１】
本考案は、作業用椅子に関する。
【背景技術】
【０００２】
農作業などにおいて座り込んで長時間の作業をする場合、腰や膝に大きな負担となる。特に、蹲って座る動作は、膝、腰などに負担がかかり、痛みを伴い長時間の作業は困難であり、例えば、地面にそのまま座ったり、休んで膝や腰を伸ばしたりすることで対応していた。
【考案の概要】
【考案が解決しようとする課題】
【０００３】
上記のとおり、農作業などにおいて座り込んで長時間の作業をする場合、腰や膝に大きな負担となるが、この身体の負担を軽くし、なおかつ作業効率を上げるという一挙両得となるものが求められていた。
【０００４】
本考案は、こうした点に鑑みてなされたものであり、作業者が座ろうとしたときに、ベルトを用いて椅子本体を臀部に密着させて座ることができ、容易に移動及び作業を行うことができる作業用椅子を提供するものである。
【課題を解決するための手段】
【０００５】
上記課題を解決するために、本考案に係る作業用椅子は、座面と底面と側面とからなるカバーと、前記カバーの内部に設けられた弾性体を有する椅子本体と、第１の腰ベルトと第２の腰ベルトとからなる腰ベルトと、第１の補助ベルトと第２の補助ベルトからなる補助ベルトと、第１の股ベルトと第２の股ベルトとからなる股ベルトと、を有し、前記第１の腰ベルトの一端は、前記座面と一体的に設けられ、前記第２の腰ベルトの一端は、前記第１の腰ベルトの一端と対抗するように前記座面と一体的に設けられ、前記第１の腰ベルトと前記第２の腰ベルトは、作業者の腰の周りに着脱自在になるように、それぞれの他端に着脱機能が設けられており、前記第１の補助ベルトの一端は、前記第１の腰ベルトの一端よりも前記座面の下方に設けられ、前記第２の補助ベルトの一端は、前記第２の腰ベルトの一端よりも前記座面の下方に設けられ、前記第１の補助ベルトの他端は、前記第１の腰ベルトの中央部分に一体的になるように設けられ、前記第２の補助ベルトの他端は、前記第２の腰ベルトの中央部分と一体的になるように設けられ、前記第１の股ベルトの一端は、前記第１の補助ベルトの中央部分に設けられ、前記第２の股ベルトの一端は、前記第２の補助ベルトの中央部分に設けられ、前記第１の股ベルトの他端は、前記側面に設けられた係合部と着脱自在になるように形成され、前記第２の股ベルトの他端は、前記側面に設けられた前記係合部と着脱自在になるように形成されていることを特徴とする。
【０００６】
本考案に係る作業用椅子の態様について、前記弾性部材は、高密度発泡ポリエステルであり、前記着脱機能は、面ファスナーであり、前記係合部はフック受け具であり、前記第１の股ベルトの他端及び前記第２の股ベルトの他端はフックであり、使用者の臀部を前記座面に当接した状態で、前記第１の腰ベルトと前記第２の腰ベルトを前記第１の補助ベルトと前記第２の補助ベルトとともに前記使用者の腰に巻きつけ、前記面ファスナーで固定し、前記第１の股ベルトと前記第２の股ベルトを前記使用者のそれぞれの太股に巻きつけ、それぞれの前記フックを、前記フック受け具で固定するように構成されていることが望ましく、また、前記カバーには、ファスナーが設けられており、前記高密度発泡ポリエステルが、前記カバーから取り外し可能なように形成されていることが望ましい。
【考案の効果】
【０００７】
本考案によれば、作業者が座ろうとしたときに、ベルトを用いて椅子本体を臀部に密着させて座ることができ、容易に移動及び作業を行うことができる作業用椅子を提供することができる。すなわち、椅子状のものをお尻に敷いて作業をしたとしたら、身体の負担は軽くなるが、移動するたびにいちいち持ち歩かねばならず、邪魔でもあり、作業効率が落ちるというものである。しかし、本考案の作業用椅子を用いることで、身体の負担を軽くし、なおかつ作業効率を上げるという一挙両得となるものであり、この作業椅子は、お尻にくくりつけて歩くという「楽ちんイス」といえるものである。さらに、本考案は、材質の軽さと汚れてもすぐに洗えるというカバーによって、上記の効果を実現することができ、かつ地面と身体の間に低い椅子状のものをかませることで上下運動が楽になり、身体への負担を軽減し、なおかつ作業効率をアップさせることができる魔法の椅子といえるものである。
【図面の簡単な説明】
【０００８】
【図１】実施形態の作業用椅子の一例を示す模式図である。
【図２】実施形態の作業用椅子の使用の一例を示す参考図である。
【考案を実施するための形態】
【０００９】
以下、本考案の作業用椅子の実施形態を、図１及び図２を用いて説明する。図１（ａ）は、作業用椅子１００を使用している一例を正面からみた模式図であり、図１（ｂ）は、作業用椅子１００を使用している一例を側面からみた模式図であり、図１（ｃ）は、作業用椅子１００を使用している他の一例を側面からみた模式図であり、図１（ｄ）は、作業用椅子１００を座って使用している一例を示す模式図である。また、図２（ａ）は、作業用椅子１００の各構成を示す参考図であり、図２（ｂ）は、作業用椅子１００の腰ベルトを腰に巻き付ける状態を示す参考図であり、図２（ｃ）は、作業用椅子１００を腰ベルトで腰に固定した状態を示す参考図であり、図２（ｄ）は、作業用椅子１００の股ベルトを太股に巻き付ける状態を示す参考図であり、図２（ｅ）は、作業用椅子１００を股ベルトで太股に固定した状態を示す参考図である。
【００１０】
作業用椅子１００は、座面と底面と側面とからなるカバーと、カバーの内部に設けられた弾性体の一例である高密度発泡ポリエステルを有する椅子本体１０と、第１の腰ベルト２０ａと第２の腰ベルト２０ｂとからなる腰ベルトと、第１の補助ベルト３０ａと第２の補助ベルト３０ｂからなる補助ベルトと、第１の股ベルト４０ａと第２の股ベルト４０ｂとからなる股ベルトとを有している。
【００１１】
作業用椅子１００において、第１の腰ベルト２０ａの一端は、座面と固着されて一体的になるように設けられている。また、第２の腰ベルト２０ｂの一端は、第１の腰ベルト２０ａの一端と対抗するように座面と固着されて一体的になるように設けられている。そして、第１の腰ベルト２０ａと第２の腰ベルト２０ｂは、作業者の腰の周りに着脱自在になるように、それぞれの他端に着脱機能、この例においては、面ファスナー５０が設けられている。
【００１２】
第１の補助ベルト３０ａの一端は、第１の腰ベルト２０ａの一端よりも座面の下方に固着されて一体的になるように設けられている。また、第２の補助ベルト３０ｂの一端は、第２の腰ベルト２０ｂの一端よりも座面の下方に固着されて一体的となるように設けられている。そして、第１の補助ベルト３０ａの他端は、第１の腰ベルト２０ａの略中央部分に一体的になるように設けられており、第２の補助ベルト３０ｂの他端は、第２の腰ベルト２０ｂの略中央部分と一体的になるように設けられている。
【００１３】
第１の股ベルト４０ａの一端は、第２の補助ベルト３０ａの略中央部分に設けられている。そして、第１の股ベルト４０ａの他端は、側面に設けられた係合部と着脱自在になるように形成されている。また、第２の股ベルト４０ｂの他端は、第２の補助ベルト３０ｂの略中央部分に設けられている。そして、第２の股ベルト４０ｂの他端は、側面に設けられた係合部と着脱自在になるように形成されている。この例において、第１の股ベルト４０ａの他端及び第２の股ベルト４０ｂの他端は、フック６０であり、係合部は、フック６０の受け具であるフック受け具である。
【００１４】
この例において、上記のとおり弾性部材は高密度発泡ポリエステルであり、着脱機能は面ファスナーであり、係合部はフック受け具であり、第１の股ベルト４０ａの他端及び第２の股ベルト４０ｂの他端はフックであるが、これに限定されず適宜最適なものを選択すればよい。
【００１５】
上記の構成の作業用椅子１００は、使用者の臀部を座面に当接した状態で、第１の腰ベルト２０ａと第２の腰ベルト２０ｂを使用者の腰に巻きつけ、面ファスナー５０で固定する。次に、第１の股ベルト４０ａと第２の股ベルト４０ｂを第１の補助ベルト３０ａと第２の補助ベルト３０ｂとともに使用者のそれぞれの太股に巻きつけ、それぞれのフック６０を、側面に設けられているフック受け具で固定する。このように作業者に装着された作業用椅子１００は、作業者が座ろうとしたときに、椅子本体を臀部に密着させて座ることができ、ベルトを用いて容易に作業を行うことができるという優れた効果を有するものである。
【００１６】
また椅子本体１０のカバーには、ファスナーを設けてもよく、このような構成にすることで、弾性部材の一例である高密度発泡ポリエステルをカバーから取り外すことが可能となり、例えば、カバーを洗浄することができるようになる。
【００１７】
以上、本考案の有する特徴及び優れた点を上記実施形態に記載したが、本考案は、本願の実用新案登録請求の範囲で使用されている言葉を広く一般的な意味に拡張して実施することができる。
【００１８】
また、本考案の作業用椅子は、大きさや形状、素材の種類、厚さ、重さなどについて多様な実施形態が可能であり、それらについて本実施形態と異なる形態による実施は、本考案の技術的範囲に含まれる。
【符号の説明】
【００１９】
１００    椅子
１０      椅子本体
２０ａ    第１の腰ベルト
２０ｂ    第２の腰ベルト
３０ａ    第１の補助ベルト
３０ｂ    第２の補助ベルト
４０ａ    第１の股ベルト
４０ｂ    第２の股ベルト
５０      面ファスナー
６０      フック
【図１】
0003217581.tif 000003
【図２】
0003217581.tif 000004